(57)【要約】【課題】スイッチの内部への水の侵入を防止することができるコーヒー沸かし器を提供する。【解決手段】コーヒー沸かし器本体に設けられた水タンク２と、水タンク２内に入れられた水２ａを給湯口３に導く給湯用配管４と、給湯用配管４を通る水２ａを加熱する加熱装置６と、加熱装置６のＯＮ-ＯＦＦを切り換え可能な可動式のボタン部７ａと、コーヒー沸かし器本体１の側壁に固定されボタン部７ａを保持するスイッチ本体７ｂとを有するスイッチ７と、を備えるコーヒー沸かし器であって、ボタン部７ａとスイッチ本体７ｂとの隙間を覆って水密シールするようにシールパッキンを設ける。【選択図】図１
2013099500.tif 000002
【特許請求の範囲】
【請求項１】
コーヒー沸かし器本体と、
前記コーヒー沸かし器本体に設けられた水タンクと、
前記水タンク内に入れられた水を給湯口に導く給湯用配管と、
前記給湯用配管を通る前記水を加熱する加熱装置と、
前記加熱装置のＯＮ-ＯＦＦを切り換え可能な可動式のボタン部と、前記コーヒー沸かし器本体の側壁に固定され前記ボタン部を保持するスイッチ本体とを有するスイッチと、
を備えるコーヒー沸かし器であって、
前記ボタン部と前記スイッチ本体との隙間を覆って水密シールするようにシールパッキンが設けられている、コーヒー沸かし器。
【請求項２】
前記シールパッキンは、蛇腹形状を有する、請求項１に記載のコーヒー沸かし器。
【請求項３】
前記シールパッキンは、前記ボタン部の全体を覆うように形成されている、第１態様に記載のコーヒー沸かし器。
【請求項４】
前記シールパッキンは、頂部にくぼみが設けられた概ね半球形の形状に形成されている、請求項３に記載のコーヒー沸かし器。
【請求項５】
前記ボタン部と前記スイッチ本体との隙間に水が浸入するのを妨げるように、前記スイッチの周囲に、前記コーヒー沸かし器本体の側壁から立設されたリブが設けられている、請求項１〜４のいずれか１つに記載のコーヒー沸かし器。
【請求項６】
コーヒー沸かし器本体と、
前記コーヒー沸かし器本体に設けられた水タンクと、
前記水タンク内に入れられた水を給湯口に導く給湯用配管と、
前記給湯用配管を通る前記水を加熱する加熱装置と、
前記加熱装置のＯＮ-ＯＦＦを切り換え可能な可動式のボタン部と、前記コーヒー沸かし器本体の側壁に固定され前記ボタン部を保持するスイッチ本体とを有するスイッチと、
を備えるコーヒー沸かし器であって、
前記ボタン部と前記スイッチ本体との隙間に水が浸入するのを妨げるように、前記スイッチの周囲に、前記コーヒー沸かし器本体の側壁から立設されたリブが設けられている、コーヒー沸かし器。
【発明の詳細な説明】
【技術分野】
【０００１】
本発明は、コーヒー粉に加熱した水（熱湯）を給湯することにより、コーヒーの抽出を行うコーヒー沸かし器に関するものである。
【背景技術】
【０００２】
従来、この種のコーヒー沸かし器としては、図７に示すような構造のものが知られている。（例えば、特許文献１：特開２００２−３３６１２９号公報参照）。
【０００３】
図７に示すように、従来のコーヒー沸かし器は、コーヒー沸かし器本体１０１と、コーヒー沸かし器本体１０１に着脱自在に設けられた水タンク１０２とを備えている。コーヒー沸かし器本体１０１には、水タンク１０２内に入れられた水１０２ａを給湯口１０３に誘導する給湯用配管１０４が内蔵されている。
【０００４】
給湯用配管１０４は、接続パイプ１０４ａと、加熱パイプ１０４ｂと、給湯パイプ１０４ｃとを直列に連結して構成されている。接続パイプ１０４ａは、水タンク１０２と加熱パイプ１０４ｂとを接続する。接続パイプ１０４ａの内部には、水の逆流を防止する逆流防止弁１０５が設けられている。加熱パイプ１０４ｂの周囲には、電気ヒーターなどの加熱装置１０６が設けられている。また、コーヒー沸かし器本体１０１には、加熱装置１０６のＯＮ−ＯＦＦを切り換え可能なスイッチ１０７が設けられている。スイッチ１０７が操作されて加熱装置１０６がＯＮされることにより、加熱パイプ１０４ｂを通る水１０２ａが加熱される。加熱パイプ１０４ｂを通る際に加熱された水（熱湯）１０２ａは、給湯パイプ１０４ｃを通じて給湯口１０３から吐出される。
【０００５】
給湯口１０３の下方には、コーヒー粉１０８ａを入れるフィルター１０８を収納するバスケット１０９が設けられている。フィルター１０８内のコーヒー粉１０８ａに給湯口１０３から吐出された水（熱湯）１０２ａが供給されることにより、コーヒーが抽出される。当該抽出されたコーヒーは、バスケット１０９の下方に配置されたコーヒー容器１１０に溜められる。
【先行技術文献】
【特許文献】
【０００６】
【特許文献１】特開２００２−３３６１２９号公報
【発明の概要】
【発明が解決しようとする課題】
【０００７】
前記従来のコーヒー沸かし器では、スイッチ１０７として、シーソースイッチなどの可動式のスイッチが用いられている。この種のスイッチには、当該スイッチのボタン部（可動部）が可動できるように、当該ボタン部の周囲に微小な隙間が存在する。このため、例えば、水１０２ａを入れた水タンク１０２をコーヒー沸かし器本体１０１に装着する際に誤って水１０２ａをスイッチ１０７にこぼしてしまったときや、水１０２ａに濡れた手でスイッチ１０７を操作した場合に、水１０２ａが前記隙間を通じてスイッチ１０７の内部に浸入してしまうことがある。このスイッチ１０７の内部に浸入した水１０２ａがスイッチ１０７の充電部に付着すると、動作不良が発生する恐れがある。
【０００８】
本発明の目的は、前記従来の課題を解決することにあって、スイッチの内部への水の侵入を防止することができるコーヒー沸かし器を提供することにある。
【課題を解決するための手段】
【０００９】
前記従来の課題を解決するために、本発明によれば、コーヒー沸かし器本体と、
前記コーヒー沸かし器本体に設けられた水タンクと、
前記水タンク内に入れられた水を給湯口に導く給湯用配管と、
前記給湯用配管を通る前記水を加熱する加熱装置と、
前記加熱装置のＯＮ-ＯＦＦを切り換え可能な可動式のボタン部と、前記コーヒー沸かし器本体の側壁に固定され前記ボタン部を保持するスイッチ本体とを有するスイッチと、
を備えるコーヒー沸かし器であって、
前記ボタン部と前記スイッチ本体との隙間を覆って水密シールするようにシールパッキンが設けられている、コーヒー沸かし器を提供する。
【発明の効果】
【００１０】
本発明にかかるコーヒー沸かし器によれば、前記ボタン部と前記スイッチ本体との隙間を覆って水密シールするようにシールパッキンが設けられているので、スイッチの内部への水の侵入を防止することができる。
【図面の簡単な説明】
【００１１】
【図１】本発明の第１実施形態にかかるコーヒー沸かし器の断面図である。
【図１Ａ】本発明の第１実施形態にかかるコーヒー沸かし器の一部拡大断面図である。
【図２】本発明の第２実施形態にかかるコーヒー沸かし器の一部拡大断面図である。
【図３】本発明の第３実施形態にかかるコーヒー沸かし器の一部拡大断面図である。
【図４】本発明の第４実施形態にかかるコーヒー沸かし器の一部拡大断面図である。
【図５】本発明の第５実施形態にかかるコーヒー沸かし器の一部拡大断面図である。
【図６】本発明の第６実施形態にかかるコーヒー沸かし器の一部拡大断面図である。
【図７】従来のコーヒー沸かし器の側面図である。
【発明を実施するための形態】
【００１２】
本発明の第１態様によれば、コーヒー沸かし器本体と、
前記コーヒー沸かし器本体に設けられた水タンクと、
前記水タンク内に入れられた水を給湯口に導く給湯用配管と、
前記給湯用配管を通る前記水を加熱する加熱装置と、
前記加熱装置のＯＮ-ＯＦＦを切り換え可能な可動式のボタン部と、前記コーヒー沸かし器本体の側壁に固定され前記ボタン部を保持するスイッチ本体とを有するスイッチと、
を備えるコーヒー沸かし器であって、
前記ボタン部と前記スイッチ本体との隙間を覆って水密シールするようにシールパッキンが設けられている、コーヒー沸かし器を提供する。
【００１３】
本発明の第２態様によれば、前記シールパッキンは、蛇腹形状を有する、第１態様に記載のコーヒー沸かし器を提供する。
【００１４】
本発明の第３態様によれば、前記シールパッキンは、前記ボタン部の全体を覆うように形成されている、第１態様に記載のコーヒー沸かし器を提供する。
【００１５】
本発明の第４態様によれば、前記シールパッキンは、頂部にくぼみが設けられた概ね半球形の形状に形成されている、第３態様に記載のコーヒー沸かし器を提供する。
【００１６】
本発明の第５態様によれば、前記ボタン部と前記スイッチ本体との隙間に水が浸入するのを妨げるように、前記スイッチの周囲に、前記コーヒー沸かし器本体の側壁から立設されたリブが設けられている、第１〜４態様のいずれか１つに記載のコーヒー沸かし器を提供する。
【００１７】
本発明の第６態様によれば、コーヒー沸かし器本体と、
前記コーヒー沸かし器本体に設けられた水タンクと、
前記水タンク内に入れられた水を給湯口に導く給湯用配管と、
前記給湯用配管を通る前記水を加熱する加熱装置と、
前記加熱装置のＯＮ-ＯＦＦを切り換え可能な可動式のボタン部と、前記コーヒー沸かし器本体の側壁に固定され前記ボタン部を保持するスイッチ本体とを有するスイッチと、
を備えるコーヒー沸かし器であって、
前記ボタン部と前記スイッチ本体との隙間に水が浸入するのを妨げるように、前記スイッチの周囲に、前記コーヒー沸かし器本体の側壁から立設されたリブが設けられている、コーヒー沸かし器を提供する。
【００１８】
以下、本発明の実施形態について、図面を参照しながら説明する。なお、以下の実施形態によって本発明が限定されるものではない。
【００１９】
（第１実施形態）
図１を用いて、本発明の第１実施形態にかかるコーヒー沸かし器の全体構成について説明する。図１は、本発明の第１実施形態にかかるコーヒー沸かし器の全体構成を示す断面図である。
【００２０】
図１において、本第１実施形態にかかるコーヒー沸かし器は、コーヒー沸かし器本体１と、コーヒー沸かし器本体１に取り付けられた水タンク２とを備えている。
【００２１】
水タンク２は、水２ａを貯留するためのタンクである。水タンク２の上部には、開閉自在な蓋２ｂが設けられている。なお、水タンク２は、コーヒー沸かし器本体１に対して着脱自在に構成されても、一体的に構成されてもよい。
【００２２】
コーヒー沸かし器本体１には、水タンク２内に入れられた水２ａを給湯口３に誘導する給湯用配管４が内蔵されている。給湯用配管４は、接続パイプ４ａと、加熱パイプ４ｂと、給湯パイプ４ｃとを直列に連結して構成されている。接続パイプ４ａは、水タンク２と加熱パイプ４ｂとを接続する。接続パイプ４ａの内部には、水の逆流を防止する逆流防止弁５が設けられている。加熱パイプ４ｂの周囲には、電気ヒーターなどの加熱装置６が設けられている。また、コーヒー沸かし器本体１には、加熱装置６のＯＮ−ＯＦＦを切り換え可能なスイッチ７が設けられている。スイッチ７が操作されて加熱装置６がＯＮされることにより、加熱パイプ４ｂを通る水２ａが加熱される。加熱パイプ４ｂを通る際に加熱された水（熱湯）２ａは、給湯パイプ４ｃを通じて給湯口３から吐出される。
【００２３】
また、加熱パイプ４ｂには、加熱装置６により加熱された水（熱湯）２ａの温度を検知するバイメタルサーモスタッドなどの温度検知部１２が設けられている。この温度検知部１２の検知温度に基づいて、加熱パイプ４ｂで加熱された水２ａの温度が特定の範囲の温度になるように加熱装置６が制御される。本第１実施形態では、温度検知部１２の検知温度が１５０℃を超えたとき、加熱装置６はＯＦＦ（通電停止）され、温度検知部１２の検知温度が１３０℃より低くなったとき、加熱装置６はＯＮ（通電開始）されるように構成されている。
【００２４】
給湯口３の下方には、コーヒー粉８ａを入れるフィルター８を収納するバスケット９が設けられている。バスケット９は、コーヒー沸かし器本体１に着脱自在に取り付けられている。フィルター８内のコーヒー粉８ａに給湯口３から吐出された水（熱湯）２ａが供給されることにより、コーヒーが抽出される。フィルター８は、抽出されたコーヒーが透過するように、紙や網目状の樹脂シートなどで構成されている。
【００２５】
バスケット９の底部には、滴下穴９ａが設けられおり、当該滴下穴９ａを開閉可能に弁９ｂが設けられている。弁９ｂが上方へ押し上げられることにより、滴下穴９ａが開放される。これにより、フィルター８を透過したコーヒーを、滴下穴９ａを通じてバスケット９の下方に滴下することができる。
【００２６】
バスケット９の下方には、コーヒー容器１０が着脱自在に設けられている。コーヒー容器１０は、加熱装置６に隣接して設けられた保温板１１上に載置される。
【００２７】
コーヒー容器１０は、有底筒状の容器本体１０ａと、容器本体１０ａの上部開口を塞ぐ着脱自在な容器蓋１０ｂと、容器本体１０ａの側部に取り付けられた把手１０ｃとを備えている。容器蓋１０ｂには、コーヒー容器１０が保温板１１上に載置された際に弁９ｂを上方に押し上げる突起部１０ｄと、突起部１０ｄの周囲に設けられた複数の貫通穴１０ｅとが設けられている。滴下穴９ａから滴下されたコーヒーは、複数の貫通穴１０ｅを通じて容器本体１０ａ内に溜められる。
【００２８】
次に、図１を用いて、スイッチ７の構成をより詳細に説明する。
【００２９】
図１に示すように、スイッチ７は、水タンク２よりも下方で且つコーヒー沸かし器本体１の側壁に設けられている。スイッチ７は、可動式のボタン部の一例であるシーソーボタン７ａと、シーソーボタン７ａを保持するスイッチ本体７ｂとを有している。シーソーボタン７ａは、回動軸７ｃを中心として回動可能に構成されている。本第１実施形態では、シーソーボタン７ａの上部がコーヒー沸かし器本体１の側壁に向けて押圧されることにより加熱装置６がＯＮされ、シーソーボタン７ａの下部がコーヒー沸かし器本体１の側壁に向けて押圧されることにより加熱装置６がＯＦＦされるように構成されている。
【００３０】
シーソーボタン７ａとスイッチ本体７ｂとの間には、シーソーボタン７ａが回動軸７ｃを中心として回動することができるように隙間が形成されている。当該隙間を通じて水２ａがスイッチ７の内部に入り込んだ場合、動作不良が発生する恐れがある。このため、シーソーボタン７ａとスイッチ本体７ｂとの隙間を覆って水密シールするようにシールパッキン１３Ａが設けられている。シールパッキン１３Ａは、シーソーボタン７ａの動作を妨げないように、弾性力のある部材、例えば、筒状のゴム部材により構成されている。
【００３１】
なお、図１では、ボタン部７ａ及びスイッチ本体７ｂの構成を簡略化して示したが、具体的には、図１Ａに示すように構成されている。ボタン部７ａ及びスイッチ本体７ｂの構成は、図１Ａに示すものに限定されるものではなく、充電部など水に濡れると動作不良を起こすような部品がスイッチ７の内部に設けられた構成であればよい。
【００３２】
次に、前記構成を有する本第１実施形態にかかるコーヒー沸かし器の動作について説明する。
【００３３】
まず、使用者により、図１に示すように、コーヒー粉８ａが入れられたフィルター８がバスケット９内に配置されるとともに、コーヒー容器１０が保温板１１上に載置される。また、蓋１５が開放され、水タンク２内に水２ａが入れられる。なお、この際、水２ａがスイッチ７に向けてこぼれたとしても、シールパッキン１３Ａによりシーソーボタン７ａとスイッチ本体７ｂとの隙間に水２ａが入り込むことが阻止される。
【００３４】
前述の準備完了後、スイッチ７のシーソーボタン７ａの上部がコーヒー沸かし器本体１の側壁に向けて押圧されることにより、加熱装置６がＯＮされる。また、このタイミングで、水タンク２に入れられた水２ａが接続パイプ４ａの逆流防止弁５を通過し、加熱パイプ４ｂに流入する。
【００３５】
加熱パイプ４ｂ内に流入した水２ａは、加熱パイプ４ｂ内で加熱装置６により加熱され、沸騰して熱湯となる。その際に発生する蒸気圧と逆流防止弁５の作用により、水（熱湯）２ａは、給湯パイプ１０を上昇し、給湯口３からバスケット９に収納されたフィルター８内のコーヒー粉８ａに向けて吐出される。
【００３６】
水（熱湯）２ａがコーヒー粉８ａ及びフィルター８を通過することにより抽出されたコーヒーは、滴下穴９ａと、容器蓋１０ｂの複数の穴１０ｅを通過し、コーヒー容器１０に溜められる。
【００３７】
水タンク２、接続パイプ４ａ、及び加熱パイプ４ｂ内の水２ａが無くなると、加熱装置６により加熱される加熱パイプ４ｂの温度が上昇する。これにより、温度検知部１２の検知温度が１５０℃を超えると、加熱装置６がＯＦＦ（通電停止）される。その後、温度検知部１２の検知温度が１３０℃より低くなると、加熱装置６がＯＮ（通電開始）される。これにより、加熱装置６の熱が保温板１１及びコーヒー容器１０を通じてコーヒー容器１０内のコーヒーに間接的に伝達される。温度検知部１２の検知温度に基づく加熱装置６のＯＮ−ＯＦＦ動作が繰り返されることにより、コーヒー容器１０内のコーヒーの温度が約７０〜９０℃に維持（保温）される。その後、スイッチ７のシーソーボタン７ａの下部がコーヒー沸かし器本体１の側壁に向けて押圧されると、加熱装置６の前記ＯＮ−ＯＦＦ動作が終了する。
【００３８】
本第１実施形態にかかるコーヒー沸かし器によれば、ボタン部７ａとスイッチ本体７ｂとの隙間を覆って水密シールするようにシールパッキン１３Ａが設けられているので、スイッチ７の内部に水が浸入して動作不良が発生することを防ぐことができる。
【００３９】
なお、本発明は、前記第１実施形態に限定されるものでははく、その他種々の態様で実施できる。例えば、前記第１実施形態では、水タンク２をコーヒー沸かし器本体１に一体的に設けたが、本発明は、これに限定されない。例えば、水タンク２は、コーヒー沸かし器本体１に着脱自在に設けられてもよい。
【００４０】
また、前記第１実施形態では、スイッチ７が有する可動式のボタン部としてシーソーボタン７ａを例示したが、本発明はこれに限定されない。例えば、ボタン部は、押しボタンやトグルボタンなどであってもよい。これらの場合でも、ボタン部とスイッチ本体との隙間を通じてスイッチ７の内部に水が入り込むおそれがあるので、シールパッキン１３Ａを設けることにより、前記第１実施形態と同様の効果を得ることができる。
【００４１】
（第２実施形態）
図２は、本発明の第２実施形態にかかるコーヒー沸かし器の一部拡大断面図である。本第２実施形態にかかるコーヒー沸かし器が、前記第１実施形態にかかるコーヒー沸かし器と異なる点は、シールパッキン１３Ｂが蛇腹形状に形成されている点である。
【００４２】
本第２実施形態にかかるコーヒー沸かし器によれば、シールパッキン１３Ｂが蛇腹形状に形成されているので、シールパッキン１３Ｂの伸縮性が大きくなり、シーソーボタン７ａの可動幅を大きくすることができる。これにより、シーソーボタン７ａのサイズを大きくして操作性を向上させることができる。また、シールパッキン１３Ｂが蛇腹形状であることで、シールパッキン１３Ｂを伸縮させるための負荷を小さくすることができる。これにより、シーソーボタン７ａの操作性を向上させることができる。
【００４３】
（第３実施形態）
図３は、本発明の第３実施形態にかかるコーヒー沸かし器の一部拡大断面図である。本第３実施形態にかかるコーヒー沸かし器が、前記第１実施形態にかかるコーヒー沸かし器と異なる点は、シールパッキン１３Ｃがシーソーボタン７ａとスイッチ本体７ｂとの隙間を含むシーソーボタン７ａの全体を覆うように形成されている点である。
【００４４】
本第３実施形態にかかるコーヒー沸かし器によれば、シールパッキン１３Ｃがシーソーボタン７ａの全体を覆うように形成されているので、スイッチ７の内部に水が浸入して動作不良が発生することをより確実に防ぐことができる。
【００４５】
なお、本第３実施形態では、シールパッキン１３Ｃを介してシーソーボタン７ａを押圧する必要がある。このため、シールパッキン１３Ｃは、ゴム部材などの弾力性のある部材で構成されることが好ましい。これにより、シーソーボタン７ａの操作性を向上させることができる。
【００４６】
また、シールパッキン１３Ｃは、ゴム部材など使用者の指が滑り難い部材で構成されることが好ましい。これにより、シーソーボタン７ａの誤操作を低減することができる。
【００４７】
また、シールパッキン１３Ｃは、透明な部材で構成されることが好ましい。これにより、シールパッキン１３Ｃを通じてシーソーボタン７ａを視認することができ、シーソーボタン７ａの操作性を向上させることができる。なお、加熱装置６がＯＮのときに点灯するランプが別途設けられている場合には、シールパッキン１３Ｃを透明な部材で構成しなくてもよい。
【００４８】
（第４実施形態）
図４は、本発明の第４実施形態にかかるコーヒー沸かし器の一部拡大断面図である。本第４実施形態にかかるコーヒー沸かし器が、前記第３実施形態にかかるコーヒー沸かし器と異なる点は、シールパッキン１３Ｄが、頂部にくぼみ１３Ｄａを有する概ね半球形に形成されている点である。
【００４９】
本第４実施形態にかかるコーヒー沸かし器によれば、シールパッキン１３Ｄにくぼみ１３Ｄａが設けられているので、シールパッキン１３Ｄを介してシーソーボタン７ａを押圧する際の押圧力を小さくすることができる。また、くぼみ１３Ｄａにより使用者の指を適切な押圧位置に誘導することができるので、操作性を向上させることができる。
【００５０】
（第５実施形態）
図５は、本発明の第５実施形態にかかるコーヒー沸かし器の一部拡大断面図である。本第５実施形態にかかるコーヒー沸かし器が、前記第１実施形態にかかるコーヒー沸かし器と異なる点は、シールパッキン１３Ａに代えて、ボタン部７ａとスイッチ本体７ｂとの隙間に水が浸入するのを妨げるように、スイッチ７の周囲に、コーヒー沸かし器本体１の側壁から立設された筒状のリブ１４が設けられている点である。
【００５１】
本第５実施形態にかかるコーヒー沸かし器によれば、リブ１４により、ボタン部７ａとスイッチ本体７ｂとの隙間に水が浸入するのを妨げることができるので、スイッチ７の内部に水が浸入して動作不良が発生することを防ぐことができる。
【００５２】
なお、本第５実施形態では、リブ１４の形状を筒状としたが、本発明はこれに限定されない。例えば、リブ１４は、半円形や、一部にスリットを設けた形状（Ｃ型形状）などであってもよい。この場合、リブ１４は、水タンク２の壁面を伝って流れる水２ａがスイッチ７に到達するのを妨げるように、スイッチ７の上方及び側方を覆うように設けられることが好ましい。
【００５３】
（第６実施形態）
図６は本発明の第６実施形態にかかるコーヒー沸かし器の一部拡大断面図である。本第６実施形態にかかるコーヒー沸かし器が、前記第１実施形態にかかるコーヒー沸かし器と異なる点は、ボタン部７ａとスイッチ本体７ｂとの隙間に水が浸入するのを妨げるように、スイッチ７の周囲に、コーヒー沸かし器本体１の側壁から立設された筒状のリブ１４（第５実施形態のリブと同じ）が更に設けられている点である。
【００５４】
シールパッキン１３Ａを弾性力のある部材（例えば、ゴム部材）で構成した場合、当該シールパッキン１３Ａの強度は通常低くなる。このため、例えば、食器類の尖った部分などがシールパッキン１３Ａに接触した場合、シールパッキン１３Ａに傷が付く恐れがある。また、シールパッキン１３Ａに傷が付いた状態でシーソースイッチ７ａの押圧動作が繰り返されると、シールパッキン１３Ａが破れ、スイッチ７の内部に水２ａが浸入するおそれがある。
【００５５】
本第６実施形態にかかるコーヒー沸かし器によれば、リブ１４によりシールパッキン１３Ａを食器類の尖った部分などから保護することができるので、シールパッキン１３Ａが破れてスイッチ７の内部に水２ａが浸入することを防ぐことができる。
【００５６】
なお、前記様々な実施形態のうちの任意の実施形態を適宜組み合わせることにより、それぞれの有する効果を奏するようにすることができる。
【００５７】
本発明は、添付図面を参照しながら好ましい実施形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５８】
本発明にかかるコーヒー沸かし器は、スイッチの内部への水の侵入を防止することができるので、可動式のボタン部を有するコーヒー沸かし器に有用である。
【符号の説明】
【００５９】
１    コーヒー沸かし器本体
２    水タンク
３    給湯口
４    給湯用配管
５    逆流防止弁
６    加熱装置
７    スイッチ
８    フィルター
９    バスケット
１０    コーヒー容器
１１    保温板
１２    温度検知部
１３Ａ〜１３Ｄ    シールパッキン
１３Ｄａ    くぼみ
１４    リブ
【図１】
2013099500.tif 000003
【図１Ａ】
2013099500.tif 000004
【図２】
2013099500.tif 000005
【図３】
2013099500.tif 000006
【図４】
2013099500.tif 000007
【図５】
2013099500.tif 000008
【図６】
2013099500.tif 000009
【図７】
2013099500.tif 000010